【手続補正書】
【提出日】平成17年7月26日(2005.7.26)
【手続補正１】
【補正対象書類名】明細書
【補正対象項目名】全文
【補正方法】変更
【補正の内容】
【書類名】      明細書
【発明の名称】  粉粒体吐出機
【特許請求の範囲】
【請求項１】  走行車体（２）を備え、粉粒体を貯蔵するホッパ（６０）の下方に該ホッパ（６０）内の粉粒体を繰り出す繰出部（６１）が施肥フレーム（７０）で支持された粉粒体吐出機において、前記繰出部（６１）を走行車体（２）側に固定された固定部分（７８ａ）と該固定部分（７８ａ）から離脱させられる離脱部分（７８ｂ）とに分割し、その分割面（Ｆ−Ｆ）を前下がりに傾斜した傾斜面に構成するとともに、ホッパ（６０）内に残存する粉粒体を回収するための排出口（８３）を繰出部（６１）の背面部に設けて、前記排出口（８３）に接続される肥料回収管（８５）を繰出部（６１）の後方に設け、前記繰出部（６１）に対してホッパ（６０）を後方へ回動させるアーム（７１）を前記施肥フレーム（７０）で支持したことを特徴とする粉粒体吐出機。
【請求項２】  走行車体（２）を備え、粉粒体を貯蔵するホッパ（６０）の下方に該ホッパ（６０）内の粉粒体を繰り出す繰出部（６１）が施肥フレーム（７０）で支持された粉粒体吐出機において、前記繰出部（６１）を走行車体（２）側に固定された固定部分（７８ａ）と該固定部分（７８ａ）から離脱させられる離脱部分（７８ｂ）とに分割し、その分割面（Ｆ−Ｆ）を前下がりに傾斜した傾斜面に構成するとともに、前記ホッパ（６０）内に残存する粉粒体を回収するための排出口（８３）及び該排出口（８３）を開閉する排出シャッタ（８４）を繰出部（６１）の固定部分（７８ａ）に設けて、前記排出口（８３）に接続される肥料回収管（８５）を繰出部（６１）の後方に設けたことを特徴とする粉粒体吐出機。
【請求項３】  走行車体（２）を備え、粉粒体を貯蔵するホッパ（６０）の下方に該ホッパ（６０）内の粉粒体を繰り出す繰出部（６１）が施肥フレーム（７０）で支持され、前記繰出部（６１）には凹部（７４）が形成された回転体（７３Ａ，７３Ｂ）を内蔵し、該回転体（７３Ａ，７３Ｂ）が回転することによりホッパ（６０）内の粉粒体が前記凹部（７４）に収容されて下方に繰り出される構成の粉粒体吐出機において、前記繰出部（６１）を走行車体（２）側に固定された固定部分（７８ａ）と該固定部分（７８ａ）から離脱させられる離脱部分（７８ｂ）とに分割し、前記離脱部分（７８ｂ）に前記回転体（７３Ａ，７３Ｂ）の凹部（７４）に収容される粉粒体の表面を均すブラシ（７６）を設けたことを特徴とする粉粒体吐出機。
【請求項４】  走行車体（２）を備え、粉粒体を貯蔵するホッパ（６０）の下方に該ホッパ（６０）内の粉粒体を繰り出す繰出部（６１）が施肥フレーム（７０）にボルト（１５１）で取り付けられて支持され、該繰出部（６１）の吐出口（６１ａ）には接続管（８０）が接続され、繰出部（６１）の前方に当該繰出部（６１）により繰り出された粉粒体を散布位置まで搬送するための圧風を供給するエアチャンバ（６８）を設けて、該エアチャンバ（６８）に前記接続管（８０）が連結された粉粒体吐出機において、前記繰出部（６１）を走行車体（２）側に固定された下側の固定部分（７８ａ）と該固定部分（７８ａ）から離脱させられる上側の離脱部分（７８ｂ）とに分割するとともに、前記エアチャンバ（６８）を接続管（８０）が接続された管（６８ａ）とその中間部分の管（６８ｂ）とを交互に継ぎ合わせて構成して、繰出部（６１）を前記接続管（８０）が接続された管（６８ａ）と共に着脱できる構成としたことを特徴とする粉粒体吐出機。
【請求項５】  繰出部（６１）と共に着脱される前記接続管（８０）が接続された管（６８ａ）を他の部分に対し変形しやすい構造としたことを特徴とする請求項４に記載の粉粒体吐出機。
【発明の詳細な説明】
【０００１】
【発明の属する技術分野】
本発明は、施肥機等の粉粒体吐出機に関し、特に粉粒体繰出部及びその周辺部のメンテナンスの容易化を図った技術に関する。
【０００２】
【従来の技術】
粉粒体ホッパ内の粉粒体をその下側に設けた繰出部によって繰り出し、繰り出された粉粒体をエアチャンバから供給されるエアによって圃場まで搬送するようにした粉粒体吐出機がある。前記繰出部は外周面に凹部が形成された繰出ロールを内蔵し、この繰出ロールが一定方向に回転することにより、ホッパの粉粒体が凹部に収容されて一定量づつ下方に繰り出すようになっている。また、繰出部の内部には、繰出ロールの凹部に収容される粉粒体の表面を均すブラシや、ホッパ内に残存する粉粒体の回収するための排出口を開閉するシャッタが設けられている。
【０００３】
【発明が解決しようとする課題】
このように、繰出部の内部には多くの重要な部材が内蔵されており、点検や清掃等のメンテナンスをかなりの頻度で行う必要がある。しかしながら、従来の粉粒体吐出機の繰出部は、外ケースの一部分にメンテンス用の開口部が形成されているに過ぎなかったので、繰出部内部のメンテナンスがしにくかった。そこで、繰出部内部のメンテナンスを容易に行えるようにすることが本発明の課題である。
【０００４】
【課題を解決するための手段】
上記課題に対して本発明は下記の技術的手段を講じた。すなわち、請求項１に記載の粉粒体吐出機は、走行車体２を備え、粉粒体を貯蔵するホッパ６０の下方に該ホッパ６０内の粉粒体を繰り出す繰出部６１が施肥フレーム７０で支持された粉粒体吐出機において、前記繰出部６１を走行車体２側に固定された固定部分７８ａと該固定部分７８ａから離脱させられる離脱部分７８ｂとに分割し、その分割面Ｆ−Ｆを前下がりに傾斜した傾斜面に構成するとともに、ホッパ６０内に残存する粉粒体を回収するための排出口８３を繰出部６１の背面部に設けて、前記排出口８３に接続される肥料回収管８５を繰出部６１の後方に設け、前記繰出部６１に対してホッパ６０を後方へ回動させるアーム７１を前記施肥フレーム７０で支持したことを特徴としている。これにより、ホッパ６０を後方へ回動させて繰出部６１の離脱部分７８ｂを離脱させる作業を行いやすくなり、繰出部６１内部に収容されている部材のメンテナンスが行いやすくなる。
【０００５】
請求項２に記載の粉粒体吐出機は、走行車体２を備え、粉粒体を貯蔵するホッパ６０の下方に該ホッパ６０内の粉粒体を繰り出す繰出部６１が施肥フレーム７０で支持された粉粒体吐出機において、前記繰出部６１を走行車体２側に固定された固定部分７８ａと該固定部分７８ａから離脱させられる離脱部分７８ｂとに分割し、その分割面Ｆ−Ｆを前下がりに傾斜した傾斜面に構成するとともに、前記ホッパ６０内に残存する粉粒体を回収するための排出口８３及び該排出口８３を開閉する排出シャッタ８４を繰出部６１の固定部分７８ａに設けて、前記排出口８３に接続される肥料回収管８５を繰出部６１の後方に設けたことを特徴としている。この構成であると、排出口８３を開閉する排出シャッタ８４が繰出部６１の固定部分７８ａにあるので、離脱部分７８ｂの構成が簡略になる。
【０００６】
請求項３に記載の粉粒体吐出機は、走行車体２を備え、粉粒体を貯蔵するホッパ６０の下方に該ホッパ６０内の粉粒体を繰り出す繰出部６１が施肥フレーム７０で支持され、前記繰出部６１には凹部７４が形成された回転体７３Ａ，７３Ｂを内蔵し、該回転体７３Ａ，７３Ｂが回転することによりホッパ６０内の粉粒体が前記凹部７４に収容されて下方に繰り出される構成の粉粒体吐出機において、前記繰出部６１を走行車体２側に固定された固定部分７８ａと該固定部分７８ａから離脱させられる離脱部分７８ｂとに分割し、前記離脱部分７８ｂに前記回転体７３Ａ，７３Ｂの凹部７４に収容される粉粒体の表面を均すブラシ７６を設けたことを特徴としている。この構成であると、離脱部分７８ｂと一緒にブラシ７６が取り外されるので、ブラシ７６のメンテナンスを行いやすい。
【０００７】
請求項４に記載の粉粒体吐出機は、走行車体２を備え、粉粒体を貯蔵するホッパ６０の下方に該ホッパ６０内の粉粒体を繰り出す繰出部６１が施肥フレーム７０にボルト１５１で取り付けられて支持され、該繰出部６１の吐出口６１ａには接続管８０が接続され、繰出部６１の前方に当該繰出部６１により繰り出された粉粒体を散布位置まで搬送するための圧風を供給するエアチャンバ６８を設けて、該エアチャンバ６８に前記接続管８０が連結された粉粒体吐出機において、前記繰出部６１を走行車体２側に固定された下側の固定部分７８ａと該固定部分７８ａから離脱させられる上側の離脱部分７８ｂとに分割するとともに、前記エアチャンバ６８を接続管８０が接続された管６８ａとその中間部分の管６８ｂとを交互に継ぎ合わせて構成して、繰出部６１を前記接続管８０が接続された管６８ａと共に着脱できる構成としたことを特徴としている。この構成であると、メンテナンスの箇所や種類に応じ、繰出部６１全体を取り外す場合と、繰出部６１の一部分だけを分割して取り外す場合とを選択できる。
【０００８】
請求項５に記載の粉粒体吐出機は、繰出部６１と共に着脱される前記接続管８０が接続された管６８ａを他の部分に対し変形しやすい構造としたことを特徴としている。この構成であると、繰出部６１とエアチャンバ６８との連結、及び繰出部６１の着脱が容易になる。
【０００９】
【発明の効果】
請求項１の場合は、ホッパ６０を後方へ回動させて繰出部６１の離脱部分７８ｂを離脱させる作業を行いやすくなり、繰出部６１内部に収容されている部材のメンテナンスが行いやすくなる。特に、繰出部６１の固定部分７８ａから離脱部分７８ｂを離脱させる際に、当該離脱部分７８ｂをホッパ６０に干渉しないように離脱しやすい。
【００１０】
請求項２の場合は、排出口８３を開閉する排出シャッタ８４が繰出部６１の固定部分７８ａにあるので、離脱部分７８ｂの構成が簡略になる。
【００１１】
請求項３の場合は、繰出部６１を分割して離脱部分７８ｂを離脱させると、回転体７３Ａ，７３Ｂの凹部７４に収容される粉粒体の表面を均すブラシ７６が繰出部６１の離脱部分７８ｂと一緒に取り外されるので、ブラシ７６のメンテナンスを行いやすい。
【００１２】
請求項４の場合は、繰出部６１を粉粒体吐出機の他の部分から分離して取り外すことができ、繰出部６１のメンテナンスが容易になる。また、メンテナンスの箇所や種類に応じ、繰出部６１全体を取り外す場合と、繰出部６１の一部分だけを分割して取り外す場合とを選択できるので、メンテナンス全般が容易になる。
【００１３】
請求項５の場合は、エアチャンバ６８の着脱される部分を他の部分に対し変形しやすい構造とすることにより、繰出部６１とエアチャンバ６８との連結、及び繰出部６１の着脱が容易になる。
【００１４】
【発明の実施の形態】
以下、図面に基づき、本発明の好ましい実施の形態について説明する。
図１及び図２は本発明による粉粒体吐出機の一例である施肥田植機を表している。この施肥田植機１は、走行車体２の後側に昇降リンク装置３を介して苗植付部４が昇降可能に装着され、走行車体２の後部上側に施肥装置５の本体部分が設けられている。
【００１５】
走行車体２は、駆動輪である各左右一対の前輪１０，１０及び後輪１１，１１を備えた四輪駆動車両であって、機体の前部にミッションケース１２が配置され、そのミッションケース１２の左右側方に前輪ファイナルケース１３，１３が設けられ、該前輪ファイナルケースの変向可能な前輪支持部から外向きに突出する前輪車軸に前輪１０，１０が取り付けられている。また、ミッションケース１２の背面部にメインフレーム１５の前端部が固着されており、そのメインフレーム１５の後端左右中央部に前後水平に設けた後輪ローリング軸を支点にして後輪ギヤケース１８，１８がローリング自在に支持され、その後輪ギヤケース１８，１８から外向きに突出する後輪車軸に後輪１１，１１が取り付けられている。
【００１６】
エンジン２０はメインフレーム１５の上に搭載されており、該エンジンの回転動力が、第一ベルト伝動装置２１及び第二ベルト伝動装置２３を介してミッションケース１２に伝達される。ミッションケース１２に伝達された回転動力は、該ケース内のトランスミッションにて変速された後、走行動力と外部取出動力に分離して取り出される。そして、走行動力は、一部が前輪ファイナルケース１３，１３に伝達されて前輪１０，１０を駆動すると共に、残りが後輪ギヤケース１８，１８に伝達されて後輪１１，１１を駆動する。また、外部取出動力は、走行車体２の後部に設けた植付クラッチケース２５に伝達され、それから植付伝動軸２６によって苗植付部４へ伝動されるとともに、施肥伝動機構２７によって施肥装置５へ伝動される。
【００１７】
エンジン２０の上部はエンジンカバー３０で覆われており、その上に座席３１が設置されている。座席３１の前方には各種操作機構を内蔵するフロントカバー３２があり、その上方に前輪１０，１０を操向操作するハンドル３４が設けられている。エンジンカバー３０及びフロントカバー３２の下端左右両側は水平状のフロアステップ３５になっている。フロアステップ３５の後部は、後輪フェンダを兼ねるリヤステップ３６となっている。また、走行車体２の前部左右両側には、補給用の苗を載せておく予備苗載台３８，３８が機体よりも側方に張り出す位置と内側に収納した位置とに回動可能に設けられている。
【００１８】
昇降リンク装置３は平行リンク構成であって、１本の上リンク４０と左右一対の下リンク４１，４１を備えている。これらリンク４０，４１，４１は、その基部側がメインフレーム１５の後端部に立設した背面視門形のリンクベースフレーム４２に回動自在に取り付けられ、その先端側に縦リンク４３が連結されている。そして、縦リンク４３の下端部に苗植付部４に回転自在に支承された連結軸４４が挿入連結され、連結軸４４を中心として苗植付部４がローリング自在に連結されている。メインフレーム１５に固着した支持部材と上リンク４０に一体形成したスイングアーム４５の先端部との間に昇降油圧シリンダ４６が設けられており、該シリンダを油圧で伸縮させることにより、上リンク４０が上下に回動し、苗植付部４がほぼ一定姿勢のまま昇降する。
【００１９】
苗植付部４は６条植の構成で、フレームを兼ねる伝動ケース５０、マット苗を載せて左右往復動し苗を一株分づつ各条の苗取出口５１ａ，…に供給するとともに横一列分の苗を全て苗取出口５１ａ，…に供給すると苗送りベルト５１ｂ，…により苗を下方に移送する苗載台５１、苗取出口５１ａ，…に供給された苗を苗植付具５２ａで圃場に植付ける苗植付装置５２，…、次行程における機体進路を表土面に線引きする左右一対の線引きマーカ５３，５３等を備えている。苗植付部４の下部には中央にセンターフロート５５、その左右両側にサイドフロート５６，５６がそれぞれ設けられている。これらフロートを圃場の泥面に接地させた状態で機体を進行させると、フロートが泥面を整地しつつ滑走し、その整地跡に苗植付装置５２，…により苗が植付けられる。各フロート５５，５６，５６は圃場表土面の凹凸に応じて前端側が上下動するように回動自在に取り付けられており、植付作業時にはセンターフロート５５の前部の上下動が上下動検出機構５７により検出され、その検出結果に応じ前記昇降油圧シリンダ４６を制御する油圧バルブを切り替えて苗植付部４を昇降させることにより、苗の植付深さを常に一定に維持する。
【００２０】
施肥装置５は、肥料ホッパ６０に貯留されている粒状の肥料を繰出部６１，…によって一定量づつ繰り出し、その肥料を施肥ホース６２，…でフロート５５，５６，５６の左右両側に取り付けた施肥ガイド６３，…まで導き、施肥ガイド６３，…の前側に設けた作溝体６４，…によって苗植付条の側部近傍に形成される施肥溝内に落とし込むようになっている。モータ６６で駆動のブロア６７で発生させたエアが、左右方向に長いエアチャンバ６８を経由して施肥ホース６２，…に吹き込まれ、施肥ホース６２，…内の肥料を風圧で強制的に搬送するようになっている。
【００２１】
以下、図３〜図１２に示す施肥装置本体部の各部の構成について説明する。
肥料ホッパ６０は各条共用で、上部に開閉可能な蓋６０ａが取り付けられている。肥料ホッパ６０の下部は施肥条数分に分岐して漏斗状になっており、その下部が繰出部６１，…の上端に接続されている。肥料ホッパ６０は、左右方向に長い施肥フレーム７０に支持された左右２箇所の回動アーム７１に取り付けられていて、この回動アーム７１の下端部を支点に後方に回動させて繰出部６１，…から分離させられるようになっている。回動アーム７１は外側から１条目の繰出部と２条目の繰出部との間に配置されている。肥料ホッパ６０の下部を肥料繰出部６１，…の上端に接続した通常位置では、係止具７２により肥料ホッパ６０を固定しておく。
【００２２】
図１６に示すように、肥料ホッパ６０と肥料繰出部６１を接続する蛇腹状の変形可能な接続ブーツ１６０の下端にホッパ支持用回動アーム７１の回動支点を設けると、接続ブーツ１６０が外れにくくなるという効果が得られる。
【００２３】
繰出部６１は、肥料ホッパ６０内の肥料を下方に繰り出す２個の繰出ロール７３Ａ，７３Ｂを内蔵している。これらの繰出ロール７３Ａ，７３Ｂは、外周部に溝状の凹部７４，…が形成された回転体で、左右方向に設けた共通の繰出軸７５の角軸部７５ａ（図示例は四角軸）にそれぞれ一体回転するように嵌合している。繰出ロール７３Ａ，７３Ｂが図７の矢印方向に回転することにより、肥料ホッパ６０から落下供給される肥料が凹部７４に収容されて下方に繰り出される。両繰出ロール７３Ａ，７３Ｂにより繰り出された肥料は、下端の吐出口６１ａから吐出される。
【００２４】
図示例の繰出ロール７３Ａ，７３Ｂの凹部の数は６個であり、両者の凹部の位相が異ならせてある。このため、両繰出ロール７３Ａ，７３Ｂの凹部が交互に肥料を繰り出すこととなり、吐出口６１ａから吐出される肥料の量が時間的に均等化されている。いずれかの繰出ロールを繰出軸７５から外し位相を適当に変更して付け直すことにより、両繰出ロール７３Ａ，７３Ｂの凹部の位相を等しくすることもできる。これで、圃場に点状に肥料を散布する場合に適用可能となる。
【００２５】
また、繰出部６１の内部には、凹部７４が下方に移動する側（前側）の繰出ロール７３の外周面に摺接するブラシ７６が着脱自在に設けられている。このブラシ７６によって繰出ロール７３Ａ，７３Ｂの凹部７４に肥料が摺り切り状態で収容され、繰出ロール７３Ａ，７３Ｂによる肥料繰出量が一定に保たれる。
【００２６】
さらに、ブラシ７６の上側には、繰出ロール７３Ａ，７３Ｂの上方に突出して肥料ホッパ６０から繰出部６１に肥料が落下供給されなくする繰出停止シャッタ７７Ａ，７７Ｂが設けられている。繰出停止シャッタ７７Ａ，７７Ｂは、繰出部ケース７８のスライド支持部７９にスライド自在に支持されていて、ケース外の前端部に形成された把手７７ａをつかんでスライドさせるようになっている。
【００２７】
繰出部６１の吐出口６１ａには、前後方向に連通する接続管８０が接続されている。そして、この接続管８０の後端部に施肥ホース６２が接続されている。施肥ホース６２の外周螺旋溝に施肥フレーム７０の下端部が係合しているので、施肥ホース６２が接続管８０から抜けにくい。一方、各条の接続管８０の前端部はエアチャンバ６８の背面部に挿入連結されている。エアチャンバ６８の左端部はエア切替管８１を介してブロア６７に接続されており、該ブロアからのエアがエアチャンバ６８を経由し接続管８０から施肥ホース６２に吹き込まれるようになっている。
【００２８】
エアチャンバ６８は、接続管８０が取り付けられたゴム管６８ａと、中間部分の樹脂管６８ｂとを交互に繋ぎ合わせて構成されている。この構成とすると、エアチャンバ６８を簡単に分解、組み立てできるので、繰出部６１を一体的に取り外してのメンテナンスが容易である。ゴム管６８ａの長さを一対の繰出部の間隔よりも長くしておくと、樹脂管６８ｂからゴム管６８ａを抜きやすい。
【００２９】
また、繰出部ケース７８の背面部には、肥料ホッパ内の肥料を取り出すための肥料排出口８３が形成されている。この肥料排出口８３には、上端側を支点にして開閉自在な排出シャッタ８４が取り付けられている。各繰出部の肥料排出口８３は、繰出部６１の後方に設けた左右方向に長い肥料回収管８５に接続されている。肥料回収管８５の左端部は、前記エア切替管８１を介してブロア６７に接続されている。エア切替管８１は二股状の管であって、一方にエアチャンバ６８が接続され、他方に肥料回収管８５が接続されている。エア切替管８１にはエア切替シャッタ８６が設けられ、ブロア６７から吹き出されるエアをエアチャンバ側に供給する状態と肥料回収管側に供給する状態とに切り替えられようになっている。肥料回収管８５の右端部は肥料回収口８７になっている。
【００３０】
図９は上記各シャッタ８４，…，８６の開閉機構を示す図である。肥料回収口８７の近傍に肥料回収レバー９０が回動自在に設けられている。この肥料回収レバー９０の回動支点軸９０ａと同軸上に、繰出部６１の前側に配置された左右方向に長いシャッタ開閉伝達軸９１が設けられている。シャッタ開閉伝達軸９１には扇形プレート９２が取り付けられており、この扇形プレート９２に形成された円弧状の長穴９２ａに、肥料回収レバー９０に固着されたピン９０ｂが遊嵌している。シャッタ開閉伝達軸９１には各繰出部ごとに開閉ギヤ９３が取り付けられ、該ギヤが排出シャッタ８４の回動軸８４ａに取り付けた半円形ギヤ９４と噛み合っている。なお、半円形ギヤ９４の端部には当該ギヤの歯よりも径の大きいストッパ部９４ａが形成されているので、両ギヤの噛み合いが外れることはない。また、肥料回収レバー９０には、エア切替ワイヤ９５の一端が繋がれている。エア切替ワイヤ９５の他端は、エア切替シャッタ８６の回動軸８６ａに取り付けたアーム９６に引張りスプリング９７を介して繋がれている。
【００３１】
肥料回収レバー９０を回動操作すると、エア切替ワイヤ９５が引かれてエア切替シャッタ８６を切り替え、ブロア６７から引き出されるエアが肥料回収管８５に供給されるようになる。肥料回収レバー９０の回動操作量が少ないうちは、ピン９０ｂが長穴９２ａの中を移動するだけにすぎないので、シャッタ開閉伝達軸９１は回動しない。しかしながら、肥料回収レバー９０を一定量以上回動操作すると、ピン９０ｂが扇形プレート９２に係合し、シャッタ開閉伝達軸９１が回動する。これにより、排出シャッタ８４，…が開き、肥料ホッパ６０内の肥料が肥料回収管８５に排出される。つまり、１本のレバー操作だけでエア切替シャッタ８６及び排出シャッタ８４，…を操作することができるのである。しかも、必然的に、始めにエアが肥料回収管８５に供給され、その後で肥料が肥料回収管８５に排出されるのである。このため、肥料回収管８５での肥料の搬送が円滑に行われ、肥料回収管８５での肥料詰まりが生じない。また、肥料回収レバー９０が肥料回収口８７の近傍に設けられているので、肥料回収容器等を肥料回収口８７の下側に容易に確保でき、さらに肥料回収の状況を確認しながら作業を行え好都合である。
【００３２】
肥料回収レバー９０はレバーガイド９８に沿って回動操作するようになっている。このレバーガイド９８にはガイド穴９８ａ，９８ｂが形成されており、肥料回収レバー９０の撓みを利用して肥料回収レバー９０の係合部（図示せず）をガイド穴９８ａ，９８ｂに係合させることにより、肥料回収レバー９０をエア切替シャッタ８６だけが切り替えられる位置Ｐ１と、エア切替シャッタ８６及び排出シャッタ８４，…の両方が切り替えられる位置Ｐ２とに固定することができるようになっている。
【００３３】
繰出部ケース７８は、側面視で前下がりに傾斜した分割面Ｆ−Ｆで、下側の固定部分７８ａと上側の離脱部分７８ｂとに分割されている。繰出ロール７３Ａ，７３Ｂ及び排出シャッタ８４（肥料排出口８３）は固定部分７８ａに設けられている。一方、ブラシ７６及び繰出停止シャッタ７７は離脱部分７８ｂに設けられている。肥料ホッパ６０が接続される上部開口部及び吐出口６１ａは分割されていないので、両者の気密性が良好に保たれる。
【００３４】
肥料ホッパ６０を最も後方に回動させると、側面視で前記離脱部分７８ｂを離脱させる方向に投影した区域外に肥料ホッパが位置するようになっている。このため、離脱部分７８ｂを無理なく離脱させられる。また、分割面Ｆ−Ｆの延長先はエアチャンバ６８の上端よりも下側に位置するとともに、側面視で離脱部分７８ｂを離脱させる方向に投影した区域外にエアチャンバ６８が位置している。このため、離脱部分７８ｂを取り外した状態で、走行車体２上から繰出ロール７３Ａ，７３Ｂのメンテナンスを行いやすい。
【００３５】
次に、施肥伝動機構２７について説明する。
前記植付クラッチケース２５から、施肥動力が上向きに取り出される。その施肥動力が、リングコーン式の無段変速装置１００を経由して繰出伝動ケース１０１に伝達される。繰出伝動ケース１０１には、伝動方向を前向きに変更する第一ベベルギヤ機構１０２と、クラッチピン１０３ａで伝動入切操作する施肥クラッチ１０３と、前後方向のクラッチ軸１０３ｂの回転を左右方向の繰出駆動軸１０５に伝動する第二ベベルギヤ機構１０４とが設けられている。繰出駆動軸１０５に伝達された施肥動力は、施肥畦クラッチ１０６を介して繰出駆動軸１０５に回転自在に外嵌する筒軸１０７に伝動され、さらに一対の繰出伝動ギヤ１０８を介して筒軸１０７から繰出軸７５へ伝動される。無段変速装置１００を調節操作して繰出軸１０５の回転速度を変更することにより、繰出部６１の肥料吐出量が変わる。また、無段変速装置１００のリングコーンに駆動力が「０」となる位置を設定しておけば、無段変速装置１００を操作するだけで簡単に施肥を停止させられる。
【００３６】
左から１・２条目の筒軸１０７，１０７は一体化されていて、共通の施肥畦クラッチ１０６Ｌで伝動入切するようになっている。この施肥畦クラッチ１０６Ｌを操作する畦クラッチレバー１１０Ｌは左から２・３条目の繰出部間に配置されている。また、左から３・４条目の筒軸１０７，１０７も一体化されていて、共通の施肥畦クラッチ１０６Ｃで伝動入切するようになっている。この施肥畦クラッチ１０６Ｃを操作する畦クラッチレバー１１０Ｃも左から２・３条目の繰出部間に配置されている。一方、左から５・６条目の筒軸１０７，１０７は互いに独立していて、別々の施肥畦クラッチ１０６Ｒ１，１０６Ｒ２でそれぞれ伝動入切するようになっている。両施肥畦クラッチ１０６Ｒ１，１０６Ｒ２は、左から５・６条目の繰出部間に配置された共通の畦クラッチレバー１１０Ｒで操作される。
【００３７】
図１１は左から１・２条目用畦クラッチレバーの操作機構を表している。なお、左から３・４条目用畦クラッチレバーの操作部は図１１と左右対称になる。施肥畦クラッチ１０６Ｌのシフタ１１１が軸１１２回りに回動自在に設けられている。シフタ１１１のクラッチ操作部と反対側の端部はカム受け部１１１ａになっている。一方、畦クラッチレバー１１０Ｌは、回動軸１１３と一体回転するカムプレート１１４に取り付けられている。カムプレート１１４の一側面にはシフタ操作用の凸部１１４ａが形成されており、畦クラッチレバー１１０Ｌを回動操作すると、カムプレートの凸部１１４ａがカム受け部１１１ａを押し上げることにより、圧縮スプリング１１５の張力に抗してシフタ１１１が軸１１２回りに回動し、施肥畦クラッチ１０６Ｌが切操作される。
【００３８】
図１２は左から５・６条目用畦クラッチレバーの操作部を表している。施肥畦クラッチ１０６Ｒ１，１０６Ｒ２（施肥畦クラッチ１０６Ｒ２は図示省略）のシフタ１１１，１１１はそれぞれ軸１１２，１１２回りに回動自在で、両シフタ１１１のクラッチ操作部と反対側の端部同士がロッド１１６を介して連結されている。５条目のシフタ１１１と一体回動する入力アーム１１７が設けられ、この入力アームの先端部にカム受け部１１７ａが形成されている。畦クラッチレバー１１０Ｒは、１・２条目と同様に、回動軸１１３と一体回転するカムプレート１１４に取り付けられている。畦クラッチレバー１１０Ｒを回動操作すると、カムプレートの凸部１１４ａがカム受け部１１７ａを押し上げることにより、圧縮スプリング１１５，１１５の張力に抗してシフタ１１１，１１１が軸１１２，１１２回りに回動し、両施肥畦クラッチ１０６Ｒ１，１０６Ｒ２が切操作される。
【００３９】
また、各畦クラッチレバー１１０Ｌ，１１０Ｃ，１１０Ｒには、苗植付装置５２及び苗送りベルト５１ｂの駆動を２条単位で入切するためのワイヤ１２０が繋がれている。このワイヤ１２０は先端側で２本に分岐し、一方１２０ａの先端部は植付畦クラッチ１２１のシフタ１２１ａに繋がれ（図１４参照）、他方１２０ｂの先端部は苗送りベルトの従動ローラ軸に繋がれている（図１５参照）。
【００４０】
なお、植付伝動軸２６によって苗植付部４へ伝動される回転動力は、左右方向の植付駆動軸１２３からチェーン１２４を介して苗植付装置５２へ伝動される。植付駆動軸１２３とチェーン１２４との伝動連結部に植付畦クラッチ１２１が設けられている。畦クラッチレバー１１０Ｌ，１１０Ｃ，１１０Ｒを操作して施肥畦クラッチ１０６Ｌ，１０６Ｃ，１０６Ｒ１，１０６Ｒ２を「切」にすると、それに連動して植付畦クラッチ１２１も「切」になり、対応する２条の苗植付装置５２が駆動停止になる。
【００４１】
また、苗送りベルト５１ｂは、駆動ローラ１２５と従動ローラ１２６とに掛けられている。従動ローラ１２６は駆動ローラ１２５に対して遠近方向に移動させられるようになっており、従動ローラ１２６を駆動ローラ１２５に近づけることにより、苗送りベルト５１ｂが弛んで苗送り停止状態になる。畦クラッチレバー１１０Ｌ，１１０Ｃ，１１０Ｒを操作して施肥畦クラッチ１０６Ｌ，１０６Ｃ，１０６Ｒ１，１０６Ｒ２が「切」にすると、それに連動して対応する２条の苗送りベルト５１ｂが苗送り停止状態になる。
【００４２】
前記植付クラッチケース２５は図１３に示す内部構造になっている。入力軸１３０から植付クラッチ軸１３１へ、株間変速ギヤ１３２，…，１３３，…を介して回転動力が伝達される。駆動側の株間変速ギヤ１３２，…はそれぞれ独立に入力軸１３０に回転自在に嵌合し、シフタキー１３４を介していずれか一つだけが入力軸１３０と一体化されている。一方、従動側の株間変速ギヤ１３３，…は互いに一体に形成されており、クラッチピン１３５ａで操作される植付クラッチ１３５を介して伝動入切自在に植付クラッチ軸１３１と連結されている。シフトロッド１３４ａでシフタキー１３４をスライドさせると、有効な株間変速ギヤ１３２，１３３の組み合わせが変更される。これにより、入力軸１３０からから植付クラッチ軸１３１への伝動比を４段階に調節することができる。
【００４３】
入力軸１３０と同軸上に施肥クラッチ軸１３７が設けられている。そして、植付クラッチ軸１３１から施肥クラッチ軸１３７へ一対の偏心ギヤ１３８，１３９によって伝動される。施肥クラッチ軸１３７にはクラッチピン１４０ａで操作される施肥クラッチ１４０が設けられ、この施肥クラッチ１４０から一対のベベルギヤ１４１，１４２を介して施肥出力軸１４３へ伝動される。また、施肥クラッチ軸１３７の回転動力の一部は、一対の等速ギヤ１４５，１４６を介して植付出力軸１４７へ伝動される。偏心ギヤ１３８，１３９及び等速ギヤ１４５，１４６を株間変速ギヤ１３２，…，１３３，…と同列にまとめて配置することにより、植付クラッチケース２５をコンパクト化することができる。
【００４４】
偏心ギヤ１３８，１３９は、苗植付具５２ａが描く移動軌跡Ｔの下死点付近で最も速く苗植付具５２ａが作動するように組み合わされている。これにより、苗植付具５２ａが土壌内で引きずられて形成される植付跡をなるべく小さくするとともに、苗取出口５１ａから苗を取り出すときの苗載台５１の左右移動速度を遅くしている。また、株間変速した動力で苗植付部４及び施肥装置５を駆動するので、株間に適正に施肥を行うことができる。
【００４５】
以上に説明した施肥装置本体部は、リンクベースフレーム４２の上端部に固定した施肥フレーム７０に支持されている。詳しくは、施肥フレーム７０の上に各条の繰出部６１，…をスペーサ１５０を介してボルト１５１で取り付けるとともに、前述のように、施肥フレーム７０に取り付けた左右２箇所の回動アーム７１によって肥料ホッパ６０を後方に回動自在に支持している。繰出部６１は上下に分割可能であるが、場合によってはボルト１５１を抜いて繰出部６１を一体的に取り外すこともできる。施肥フレーム７０の前後にはエアチャンバ６８及び肥料回収管８５が設けられ、これらがフレームとしての役割をなし、全体強度の向上に貢献している。側面視で肥料回収管８５の後方を通る伝動経路で繰出部６１を伝動する構成とすることにより、繰出部６１，…と肥料回収管８５を近接させることが可能になり、繰出部の支持強度向上に役立っている。
【図面の簡単な説明】
【図１】乗用施肥田植機の側面図である。
【図２】乗用施肥田植機の平面図である。
【図３】施肥装置の背面図である。
【図４】施肥装置の平面図である。
【図５】施肥装置の一断面の側面断面図である。
【図６】施肥装置の図５とは異なる断面の側面断面図である。
【図７】粉粒体繰出部の側面断面図である。
【図８】図６のＳ−Ｓ断面図である。
【図９】肥料回収レバー及びその関連部材の側面図である。
【図１０】繰出伝動ケースの断面図である。
【図１１】左から１・２条目用畦クラッチレバーの操作機構の（ａ）平面図、及び（ｂ）側面図である。
【図１２】左から５・６条目用畦クラッチレバーの操作機構の（ａ）正面図、及び（ｂ）側面図である。
【図１３】植付クラッチケースの断面図である。
【図１４】苗植付部の伝動機構図である。
【図１５】苗送りベルトの平面図である。
【図１６】異なるホッパ支持部の構造を示す（ａ）側面図、及び（ｂ）背面図である。
【符号の説明】
１  施肥田植機（粉粒体吐出機）
２  走行車体
３  昇降リンク装置
４  苗植付部
５  施肥装置
６０  肥料ホッパ
６１  繰出部
６１ａ  吐出口
６２  施肥ホース
６８  エアチャンバ
６８ａ  ゴム管
６８ｂ  樹脂管
７０  施肥フレーム
７３Ａ，７３Ｂ  繰出ロール
７４  凹部
７６  ブラシ
７８  ケース
７８ａ  固定部分
７８ｂ  離脱部分
８０  接続管
８３  肥料排出口
８４  排出シャッタ
８５  肥料回収管
１５１  ボルト